(57)【要約】【課題】  個人差のある大きさや不揃いな湾曲面や形状を有する人体の頭部に順応して装着され、効果的にマッサージ作用を行うことができる簡便かつ安価な空気振動を利用する頭部マッサージ器具を提供するものである。【解決手段】  脈流の断続空気が供給される発振器３を、人体の頭部４の被マッサージ面に被冠されるベース部５の上部側に取付け、発振器３は、スリーブ２０の下端に振動子２２を設けてなるもので、発振器３を備えたベース部５を頭部４の被マッサージ面に装着して、被マッサージ面に振動子２２を当て、送付される断続空気をスリーブ２０を介して振動子２２の内面と被マッサージ面との間に形成される空間部２６に噴出して、頭部４の被マッサージ面に空気振動の衝撃によるマッサージ作用を付与してなるものである。【選択図】図１
2008036364.tif 000002
【特許請求の範囲】
【請求項１】
空気ポンプより供給される脈流の断続空気が導かれる発振器を、人体の頭部の被マッサージ面に被冠されるベース部の上部側に取付け、前記発振器は、内蔵されるスリーブの上端に前記空気ポンプに連結されるホースを設け、かつ下端には内面を凹面状とする振動子を設けてなり、前記発振器を取付けた前記ベース部を頭部の被マッサージ面に装着して、被マッサージ面と前記振動子を当接して、前記空気ポンプより送付される断続空気を前記スリーブを介して前記振動子の凹面状の内面と被マッサージ面との間に形成される空間部に噴出して、頭部の被マッサージ面に空気振動の衝撃によるマッサージ作用を付与してなることを特徴とする空気振動を利用した頭部マッサージ器具。
【請求項２】
前記ベース部は略ヘルメット状を呈して、その上部側に設けた取付孔を介して任意の位置に前記発振器を取付けてなることを特徴とする請求項１記載の空気振動を利用した頭部マッサージ器具。
【請求項３】
前記振動子は、被マッサージ面に対して上下動及び傾斜可能に設けられ、前記振動子の外縁が頭部の被マッサージ面に偏付きなく圧接して断続空気が噴出される前記空間部を形成してなることを特徴とする請求項１及び２のいずれかに記載の空気振動を利用した頭部マッサージ器具。
【発明の詳細な説明】
【技術分野】
【０００１】  本発明は、人体の頭部に装着されて自動的に頭皮にマッサージ作用を付与する空気振動を利用するマッサ−ジ器具に関する。
【背景技術】
【０００２】  従来、毛髪育毛剤・発毛剤を塗布して、その前後に頭部をマッサージすることで、頭皮の血行が良好となり、育毛・発毛効果が促進されることは周知である。【０００３】  さらに、この人体とくに頭部にマッサージ作用を施す器具としては、モータの回転を利用するもの、電磁気を利用したバイブレータ等機械的振動を利用したもの、またゴム袋に空気を出入りさせる形態が一般的に利用されている。【０００４】  また、振動用空気室に備えた振動板を振動空気により振動させて密閉空間の空気を介して人体に間接的に伝達してマッサージを施し、また振動板を直接人体に当接する空気振動を利用したマッサージ器具が知られている（例えば、特許文献１参照）。【０００５】
【特許文献１】特開昭５４−５０１８０号公報
【発明の開示】
【発明が解決しようとする課題】
【０００６】  しかしながら、この種の従来の空気振動を利用したマッサージ器具は、とくに振動板を介して空気を振動させる場合、人体の頭部は個人差のある大きさや不揃いな湾曲面や形状を有しているため、機械的振動を利用して頭皮にマッサージ効果を生じさせることは困難であった。【０００７】  本発明は、個人差のある大きさや不揃いな湾曲面や形状を有する人体の頭部に順応して装着され、効果的にマッサージ作用を行うことができる簡便かつ安価な空気振動を利用する頭部マッサージ器具を提供することを目的とするものである。
【課題を解決するための手段】
【０００８】  上記目的を達成するため、本発明に係る空気振動を利用する頭部マッサージ器具は、空気ポンプより供給される脈流の断続空気が導かれる発振器を、人体の頭部の被マッサージ面に被冠されるベース部の上部側に取付け、前記発振器は、内蔵されるスリーブの上端に前記空気ポンプに連結されるホースを設け、かつその下端には内面を凹面状とする振動子を設けてなり、該発振器を備えた前記ベース部を頭部の被マッサージ面に装着して、被マッサージ面と前記振動子を当接して、前記空気ポンプより送付される断続空気を前記スリーブを介して前記振動子の凹面状の内面と被マッサージ面との間に形成される空間部に噴出して、頭部の被マッサージ面に空気振動の衝撃によるマッサージ作用を付与してなることを特徴とするものである。【０００９】  さらに、前記ベース部は略ヘルメット状を呈して、その上部側の任意の位置に前記発振器を備えてなることを特徴とするものである。【００１０】  さらに、前記振動子は、被マッサージ面に対して上下動及び任意の方向に傾斜可能に設けられ、前記振動子の外縁が頭部の被マッサージ面に偏付きなく圧接して前記空間部を形成してなることを特徴とするものである。
【発明の効果】
【００１１】  上記の構成を有する本発明に係る空気振動を利用する頭部マッサージ器具によれば、マッサージ作用の動力源に断続空気を利用し、前記発振器に備えた前記振動子と被マッサージ面とで構成する前記空間部に断続空気を噴出させることにより、空気振動の衝撃が被マッサージ面に伝播してマッサージ効果を付与することができる。【００１２】  また、前記発振器に備えた前記振動子の内面と被マッサージ面との間に前記空間部が形成され、個人差のある頭部の形状あるいは湾曲面を吸収して、被マッサージ面の面域を均等にマッサージすることができる。
【発明を実施するための最良の形態】
【００１３】  以下本発明に係る空気振動を利用する頭部マッサージ器具につき、添付図面を用いて説明する。
図１は本発明の頭部マッサージ器具の使用状態を示す断面略示図、図２は同じく頭部への装着状態を示す略示図、図３は発振器のベース部への装着状態を示す要部上面図、図４は発振器を示す断面図で（イ）は、図３のＡ−Ａ断面図、（ロ）は、図３のＢ−Ｂ断面図、（ハ）は、図３のＣ−Ｃ断面図、図５は発振器を示す外観図、図６はベース部を示す略示図で（イ）は、外観図、（ロ）は、Ｄ−Ｄ断面図、図７はベース部の支持部を示す断面概略図、図８はベースとベルトの連結を示すもので、（イ）は横断面図、（ロ）はＥ−Ｅ縦断面図、図９は振動子を示すもので（イ）は断面図、（ロ）は底面図、図１０はガイド管の他の調節構造を示す略示図である。【００１４】  本発明に係る空気振動を利用する頭部マッサージ器具は、図１乃至図４に示すように、空気ポンプ１のホース２を介して脈流の断続空気が供給される発振器３を、人体の頭部４の被マッサージ面に被冠されるヘルメット状のベース部５の上部側に取付け、発振器３はスリーブ２０を内蔵し、その上端に空気ポンプ１に連結されるホース２を設け、かつその下端には内面を凹面状とする振動子２２を設けてなるもので、発振器３を備えたベース部５を頭部４の被マッサージ面に装着して、被マッサージ面に振動子２２を当て、空気ポンプ１より送付される断続空気をスリーブ２０を介して振動子２２の凹面状の内面と被マッサージ面との間に形成される空間部２６に噴出して、頭部４の被マッサージ面に空気振動の衝撃によるマッサージ作用を付与してなるものである。【００１５】  動力源となる空気ポンプ１は、商用電源で駆動する市販のゴム等の柔軟材の薄膜円盤の外周を保持して中央を振幅運動させて空気を排出するダイヤフラムポンプや、円柱状のプランジャーを円筒内で往復運動させて空気を排出するプランジャーポンプ等の、低圧で小量のＯＮーＯＦＦを繰り返す脈流の断続空気を発生させる小型空気ポンプを用いてタイマーと一体化して、さらに空気ポンプ１から発生する電磁氣の漏洩を防止するためのカバーを備えている。【００１６】  空気ポンプ１のホース２を介して脈流の断続空気が供給される発振器３は、図１及び図４に示すように、多段円筒状のガイド管２１とこのガイド管２１に挿着されるスリーブ２０とより構成されている。【００１７】  多段円筒状のガイド管２１は、分離可能な上下部ケース４３，４２に装着され、その外側面を球面軸部とする傾斜可能なガイド球軸３２を設け、上部側にはネジ部を刻設して螺合される調節ナット３０により上下動可能に形成されている。【００１８】  前記ガイド管２１に上下動可能に挿着されるスリーブ２０は、段付円筒状で筒内を断続空気の通気孔２０Ａとして発振器３の中心部に配設され、上端に止め輪２４により抜け止めされて装着され、下端に柔軟材よりなる漏斗状の振動子２２をその円筒ボス部２２Ａを介して取付け、また、上部には空気ポンプ１のホース２が装着され、この連結部分にはホース２の折れ曲がりによる断続空気の流路の変形を防止するために、コイルスプリング２５が巻回されてい【００１９】  このスリーブ２０は、そのやや下方寄りの円筒段部に対応するガイド管２１の多段円筒状の段部との間に圧縮バネ２３が取付けられ、この圧縮バネ２３の付勢状態においてスリーブ２０の下端に取付けられている振動子２２の外縁２２Ｂが、ガイド管２１の下端に形成されているスカート部２１Ａの先端よりも下方に突出するように取付けられている。【００２０】  ガイド管２１の下端のスカート部２１Ａより下方に突出されている振動子２２の外縁２２Ｂに押力が加えられると、この振動子２２の外縁２２Ｂがガイド管２１のスカート部２１Ａの先端と同位置面までの間で圧縮バネ２３の圧力を受けながら上方に移動する。【００２１】  スリーブ２０を内蔵するガイド管２１は、上部側にネジ部２１Ｂを刻設して、このネジ部２１Ｂには、図３に示すように、１〜２カ所のＤカットの平面部２１Ｃを設けて、貫通穴を設けたナットカバー３１を有する調節ナット３０が螺入され、この調節ナット３０を回転させると、ガイド管２１はネジ部２１ＢのＤカットの平面部２１Ｃが回り止めとなって共回りが防止され、調節ナット３０の回転角度に対応するネジピッチ寸法の長さ分、ガイド管２１が上下動される。【００２２】  ナットカバー３１はガイド球軸３２の上面に嵌合されてネジ止めされて、ガイド管２１がガイド球軸３２内を上下に可動するよう構成されている。【００２３】  さらに、ガイド球軸３２の外面側の球面部３２Ａに対応する内面側を球面部とする上下の円筒状の球軸受４０、４１が四角形の下部ケース４２内に圧接状に取付けられ、ガイド球軸３２の球面部３２Ａを挟持している。【００２４】  下部ケース４２に、上部ケース４３を被冠して、上下部ケース４３，４２をネジ固定され、ナットカバー３１の外側の対面する下部２箇所に設けた突起３１Ａが、上部ケース４３の上面に配設した円筒状のストッパー４３Ａの間にあり、ナットカバー３１が上部ケース４３に対して所定の角度で回転方向に自在に可動するが、必要以上の回転が防止されている。【００２５】  このように構成されることにより、ガイド球軸３２とナットカバー４１と調節ナット３０とガイド管２１とスリーブ２０および振動子２２が上下部ケース４３、４２に対して所定の角度の範囲内で自在に可動して傾斜されるように構成されている。【００２６】  スリーブ２０の下端に取付けられる振動子２２は、柔軟材により製せられ、内壁面を凹面状として内部に空間部２６を有して漏斗状に形成され、スリーブ２０から送り込まれた断続空気を空間部２６から被マッサージ面の頭部４に向けて噴出させる。【００２７】  この際、振動子２２の外縁２２Ｂと被マッサージ面との圧接部位で、噴出空気の排出時に発生する微振動によって生じやすい痛みを防止するため、図９に示すように、凹部内側から外縁２２Ｂに向う複数の凹溝２２Ｃを設けて、相対する被マッサージ面との間に噴出空気の排出流路を形成して、振動子２２の外縁２２Ｂの微振動を防止している。又漏斗部は、複数の凹溝２２Ｃを設けたもので説明したが、噴出空気の排出口として漏斗部に複数個の小孔を設けたものでもよい（図示せず）。【００２８】  また、図９に示すように、振動子２２の外縁２２Ｂの被マッサージ面との圧接面をリング状の平面２２Ｄとすることで、圧縮バネ２３の圧力がこのリング状の平面２２Ｄに分散されて、被マッサージ面に与える違和感を減少させるものである。【００２９】  発振器３を���着するベース部５は、図１乃至図３及び図６に示すように、硬質合成樹脂からヘルメット状に形成され、上面部に前部５Ａから後部５Ｂに向う開放の取付孔５Ｃを設け、前面又は後面のいずれか一方を開放状とし、他方を閉鎖状として開放端側から発振器３をスライド可能に挿入して、取付孔５Ｃの縁部５Ｄをネジ先端で挟み任意の位置に固着されるものである。【００３０】  ベース部５への発振器３の固着は、図４及び図５に示すように、発振器３の下部側を取付孔５Ｃに挿入して下部ケース４２に形成された鍔部の上面を取付孔５Ｃの縁部５Ｄの下面と当接して、上部ケース４３より螺入したネジ９をネジ板５１を介して取付孔５Ｃの縁部５Ｄの上面を押圧して挟持して、発振器３をベース部５の任意の位置に、曲率が一定とならない部位に対しても安定した状態で固着されるものである。なお、ネジの先端にカバーを設けてベース部５の表面に傷痕等を防止するものであってもよい（図示せず）。【００３１】  ベース部５は、図２及び図６に示すように、その内面の頭部４に当接する面に凸状の支持部７が、前部側の左右及び後部中央の３箇所に設けられている。【００３２】  このように３箇所の支持部７を設けて頭部４に当接することにより、個人差のある頭部４の大きさや不揃いな形状や湾曲面に対応して、各々の支持部７の先端が球形状面の構成の可動部により傾斜して、頭部４の面に倣い偏付きのない面接触となって安定的に当接される。【００３３】  この支持部７は、ベース部５に所定寸法の範囲内で回旋傾斜可動に形成されるもので、図７に示すように、頭部４と当接する保持カラー７Ａはその上面側を球状凸面として、ベース部５との間に保持カラーとの接触面を球状凹面とする補助カラー７Ｃを介在して、保持カラー７Ａの内球面を内蔵される支持ナット７Ｂで、ベース部５の上面に設けた座金７Ｄを有するネジで螺着してなるものである。【００３４】  なお、符号７Ｆは、ゴム等の柔軟材からなるカバー材で、頭部４と接触する保持カラー７Ａの下端面に設けられて、頭部４に与える違和感を減少させるものである。【００３５】  図２に示すように、発振器３を備えたベース部５は頭部４に被せて、その両側に連結されているベルト６を顎部の下で結んで装着される。【００３６】  ベース部５とベルト６の締結部８は、図８に示すように、ベース部５に上部側を拡開しかつ下部側を狭窄とする取付穴８Ａを設け、ベルト６端の環状部８Ｂを挿入し、この環状部８Ｂに円柱ピン等の止め具８Ｃを装着して、適宜ベルト６を取外し可能に連結されている。【００３７】  ガイド管２１を調節ナット３０で上下に可動させるものとして説明したが、図１０に示すように、ガイド管２１の上部にラックギア６０を設けて、このラックギア６０に噛合する小歯車ピニオン６１を備えて、この小歯車ピニオン６１を回転させてガイド管２１を上下動させるものでもよい。
【図面の簡単な説明】
【００３８】
【図１】は、本発明に係る頭部マッサージ器具の使用状態を示す断面略示図。
【図２】は、同じく頭部への装着状態を示す略示図。
【図３】は、発振器のベース部への装着状態を示す要部上面図。
【図４】は、発振器を示す断面図で（イ）は、図３のＡ−Ａ断面図、（ロ）は、図３のＢ−Ｂ断面図、（ハ）は、図３のＣ−Ｃ断面図。
【図５】は、発振器を示す外観図。
【図６】は、ベース部を示す略示図で（イ）は、外観図、（ロ）は、Ｄ−Ｄ断面図。
【図７】は、ベース部の支持部を示す断面概略図。
【図８】は、ベースとベルトの連結部を示すもので、（イ）は、横断面図、（ロ）は、Ｅ−Ｅ縦断面図。
【図９】は、振動子を示すもので、（イ）は、断面図、（ロ）は、底面図。
【図１０】は、ガイド管の他の調節構造を示す略示図である。
【符号の説明】
【００３９】      １        空気ポンプ
２        ホース
３        発振器
４        頭部
５        ベース
６        ベルト
７        支持部
９        ネジ
２０      スリーブ
２１      ガイド
２１Ａ    ガイド２１のスカート部
２２      振動子
２２Ｂ    振動子２２の外縁
２３      圧縮バネ
２６      空間部
３０      調節ナット
３２      ガイド球軸
４２      下部ケース
４３      上部ケース
【図１】
2008036364.tif 000003
【図２】
2008036364.tif 000004
【図３】
2008036364.tif 000005
【図４】
2008036364.tif 000006
【図５】
2008036364.tif 000007
【図６】
2008036364.tif 000008
【図７】
2008036364.tif 000009
【図８】
2008036364.tif 000010
【図９】
2008036364.tif 000011
【図１０】
2008036364.tif 000012